(57)【要約】【課題】導音部材など別途部品を追加することなくスピーカから発生した音を外部へ効率的に導き、且つ小型化が可能な効率的な部品構成を実現することができる電子機器を提供する。【解決手段】スピーカの発生音の放出方向であるスピーカ直上部に、ストラップを取り付けるためのストラップ部材を配置する。即ち、ストラップの紐を通す穴部の奥にスピーカを配置し、前記穴部の中に、スピーカから発生した音を放出するための放音穴を備える。【選択図】図５
2011193105.tif 000002
【特許請求の範囲】
【請求項１】
スピーカと、
外装側面に凹部が形成され、前記凹部にストラップが取り付けられるストラップ部材が設けられる外装部材とを有する電子機器であって、
前記凹部の底部に放音穴を形成するとともに、前記放音穴と前記スピーカの放音面とが向かい合うように、前記スピーカを配置することを特徴とする電子機器。
【請求項２】
前記外装部材は、前記凹部と穴部が形成されるサイドカバーと、前記ストラップ環と前記放音穴が形成されるストラップ部材からなり、
前記サイドカバーの前記穴部から前記ストラップ部材の前記ストラップ環を露出させることで、前記凹部の底部に前記放音穴が形成されることを特徴とする請求項１に記載の電子機器。
【請求項３】
前記サイドカバーの前記穴部から前記ストラップ部材の前記ストラップ環を露出させる際に、前記ストラップ部材の前記放音穴が前記サイドカバーの前記穴部より突出した位置となることを特徴とする請求項２に記載の電子機器。
【請求項４】
前記凹部は、前記電子機器のグリップ側側面に形成されることを特徴とする請求項１ないし３のいずれか１項に記載の電子機器。
【発明の詳細な説明】
【技術分野】
【０００１】
本発明は、スピーカとストラップ取り付け部を備えた電子機器に関するものである。
【背景技術】
【０００２】
デジタルカメラや携帯電話など小型の電子機器は、機器を良好に携帯するため、あるいは機器の紛失を防ぐために、先端にクリップを有するチェーンなどのストラップを取り付けるようになっている。また、このような電子機器は、スピーカを備えたものが多い。
【０００３】
従来、この種のスピーカを備えた電子機器としては、例えば特許文献１に記載されるようなものがあった。この特許文献１に記載された電子機器は、スピーカから発生した音を外部に導く導音部材の近傍の機器ケース側面に、ピン部材により回動自在に取り付けられたストラップ金具を出没自在に収納するストラップ金具収納部を設けている。
【先行技術文献】
【特許文献】
【０００４】
【特許文献１】特開平８−２４２０８２号公報
【発明の概要】
【発明が解決しようとする課題】
【０００５】
しかしながら、上記特許文献１の従来例では、ストラップ金具の近傍にスピーカを配置しているが、スピーカから発生した音を外部に伝えるために導音部材が別途必要である。そのため、電子機器の部品点数の削減並びに小型化を図るための支障となっていた。
【０００６】
一方、近年、電子機器は、動画の導入に伴いＬＣＤ画面をワイド化する傾向にある。ＬＣＤ画面をワイド化すると、機器本体の高さ方向のサイズは変わらず横方向のサイズが大きくなるため、機器本体の横方向の効率的な部品構成が必要となる。例えば、機器本体の横方向の側面にスピーカを配置するような構成も考えられる。このような構成を採った電子機器において、上記特許文献１の従来例の構成を採用した場合には、導音部材が別途必要であるため、電子機器の小型化を図るなど効率的な部品構成の観点から特に問題があった。
【０００７】
本発明は上記従来の問題点に鑑み、導音部材など別途部品を追加することなくスピーカから発生した音を外部へ効率的に導き、且つ小型化が可能な効率的な部品構成を実現することができる電子機器を提供することを目的とする。
【課題を解決するための手段】
【０００８】
上記目的を達成するために、本発明の電子機器は、スピーカと、外装側面に凹部が形成され、前記凹部にストラップが取り付けられるストラップ部材が設けられる外装部材とを有する電子機器であって、前記凹部の底部に放音穴を形成するとともに、前記放音穴と前記スピーカの放音面とが向かい合うように、前記スピーカを配置することを特徴とする。
【発明の効果】
【０００９】
本発明によれば、導音部材など別途新たに部品を増加させることなく、スピーカから発生した音を効率的に外部へ伝えることができ、且つ小型化が可能な効率的な部品構成を実現することが可能になる。
【図面の簡単な説明】
【００１０】
【図１】実施の形態におけるデジタルカメラの背面斜視図である。
【図２】実施の形態におけるデジタルカメラの分解斜視図である。
【図３】実施の形態におけるストラップ部材の詳細拡大図である。
【図４】実施の形態におけるサイドカバー及びストラップ部材の拡大図である。
【図５】実施の形態におけるストラップ部材及びスピーカの断面図である。
【図６】実施の形態のデジタルカメラをグリップした時のイメージ図である。
【発明を実施するための形態】
【００１１】
以下、本発明の実施の形態について、図面を参照しながら説明する。
【００１２】
＜電子機器の全体的な構成＞
本実施の形態では、本発明の電子機器を例えばデジタルカメラに適用した場合について説明する。
【００１３】
図１は、本発明の実施の形態に係る電子機器であるデジタルカメラの背面斜視図であり、図２は、図１に示したデジタルカメラの要部分解斜視図である。また、図３は、図１に示した円形部分Ｍの拡大図である。
【００１４】
このデジタルカメラは、デジタルカメラ本体の外装カバーである、フロントカバー１、リアカバー２、及びサイドカバー８を備え、その内部には撮影を可能とする各種の部材が配置されている。
【００１５】
リアカバー２側には、各種操作の表示や画像の表示を行なうための画像表示装置１１と、各種操作を行なう操作部材１２が配設されている。画像表示装置１１は、横方向にワイド化されたＬＣＤ画面を備えている。
【００１６】
そして、操作部材１２側のデジタルカメラ本体の外装側面には、メイン配線基板１５に不図示のケーブルを介して接続されるスピーカ１３が配設されている。スピーカ１３は、デジタルカメラ本体を撮影者が握る側の側面に対して放音面が平行になるように配置されている。さらに、この側面をスピーカ１３に対して上方向とした場合に、スピーカ１３の直上部には、ストラップが取り付けられるストラップ部材９が配設されている。
【００１７】
ストラップ部材９は、基台９ｄ上に形成された、ストラップを吊るすための環状のストラップ環９ａを備え、このストラップ環９ａが、デジタルカメラ本体のサイドカバー８に形成された、凹部の底部に形成される穴部８ａから露出するように配置される。また、図３に示すように、ストラップ環９ａには、スピーカ１３からの発生音を放出するための複数の貫通穴である放音穴９ｂが形成されている。
【００１８】
また、サイドカバー８には、外部と電気的に接続をするための外部接続端子用のカバー１０が近接している。さらに、デジタルカメラ本体の上面側には、様々な撮影モードを選択するためのモードレバー５、デジタルカメラの電源をオンまたはオフする電源ボタン６、及び２段階の押圧操作が可能なレリーズボタン７が配備されている。
【００１９】
また、デジタルカメラ本体内には、図２に示すように、カメラに電源を供給するバッテリを収納するバッテリ収納ボックス１４や、ＣＰＵやメモリ、画像処理ＬＳＩ、電源回路、メモリカードのスロット等が実装されたメイン配線基板１５が配備されている。前記バッテリ収納ボックス１４は、スピーカ１３を収納するホルダー形状部１４ａも備えている。
【００２０】
そして、図示はしないが、光軸方向に繰り出したり繰り込んだりすることにより撮影光学系の焦点距離を変更するためのレンズ鏡筒や、撮影時の光量不足の時に発光するストロボ装置なども配備されている。
【００２１】
＜本実施の形態の特徴的な構成＞
以下、本実施の形態の特徴的な構成である、サイドカバー８とストラップ部材９とスピーカ１３の配置構成について、図２〜図５を参照して詳細に説明する。
【００２２】
図４は、外装部材としてのサイドカバー８及びストラップ部材９の分解拡大図である。
【００２３】
図２で示したように、バッテリボックス１４は、スピーカ１３を収納する円筒形状１４ａを有しており、スピーカ１３は円筒形状１４ａに収納される。バッテリボックス１４の円筒形状１４ａにスピーカ１３が収納され、その上からストラップ部材９が重なるように配置される。ストラップ部材９は、バッテリボックス１４と不図示のビス等で固定される。
【００２４】
ストラップ部材９がバッテリボックス１４に固定された上にサイドカバー８が組み込まれる。即ち、図４に示すように、ストラップ部材９のストラップ環９ａが、サイドカバー８の、凹部８ｂの底部に形成される穴部８ａの下から挿入される。
【００２５】
そして、サイドカバー８がバッテリボックス１４に組み込まれた後にフロントカバー１とリアカバー２を組み込み、不図示のビスで固定することでデジタルカメラ本体の組み立てが完了する。
【００２６】
次に、組み立て後のサイドカバー８とストラップ部材９とスピーカ１３の配置構成について、図５を参照して説明する。
【００２７】
図５は、本実施の形態のデジタルカメラにおける、ストラップ部材９及びスピーカ１３の配置部位の断面図であり、図１の矢印Ｐ，Ｐ’方向に切断した断面図である。
【００２８】
前述したように、サイドカバー８とストラップ部材９とスピーカ１３がデジタルカメラ本体に組み込まれると、図５に示す通り、スピーカ１３は、バッテリボックス１４の円筒形状１４ａに収納されている。
【００２９】
ストラップ部材９には、スピーカ１３から発生された音を外部に伝える複数の放音穴９ｂが開口している。スピーカ１３の放音面が複数の放音穴９ｂと向かい合うように、スピーカ１３は配置されるので、スピーカ１３から発生した音は放音穴９ｂを伝って外部に放出される。サイドカバー８は、その穴部８ａにストラップ部材９のストラップ環９ａを貫通して組み込まれている。サイドカバー８の穴部８ａは、ストラップの紐を通すための凹部８ｂが形成されており、該凹部８ｂはストラップ部材９のストラップ環９ａを中心に左右一対の形状を成している。スピーカ１３から発生された音は、放音穴９ｂを伝い、さらに凹部８ｂにより音を反射させ、増幅させながら外部へ伝わるようになっている。
【００３０】
ストラップの紐を通す時は、ストラップの紐は、凹部８ｂに沿って下に進み、ストラップ環９ａの穴を通り、反対側の凹部８ｂに再度沿って外側に出ていく。このようにして、撮影者は、ストラップの紐をデジタルカメラ本体に取り付けることが可能となる。
【００３１】
ストラップ部材９の放音穴９ｂは、ストラップ部材９の基台９ｄに一体的に形成された凸形状部９ｃが貫通されて形成されている。この凸形状部９ｃは、前記凹部８ｂの下部終端の底面より段差凸形状となっており、これによって、放音穴９ｂの開口部は、穴部８ａより突出した位置となる。そのため、外部からのゴミ等が凹部８ｂに沿って侵入してきても、放音穴９ｂ内への侵入を防ぐことができ、ゴミ等で放音穴９ｂを塞ぐことなく良好に音を伝えることができる。
【００３２】
＜本実施の形態に係る作用及び効果＞
次に、上記のように構成される本実施の形態におけるデジタルカメラの作用、効果について、図６等を参照して説明する。
【００３３】
図６は、本実施の形態におけるデジタルカメラをグリップした時のイメージ図である。
【００３４】
図６に示すように、スピーカ１３及びストラップ部材９は、デジタルカメラ本体を撮影者が握る側の面（グリップ面）に配置されており、且つ前記グリップ面の略中央部に配置されている。即ち、ストラップ部材９の露出方向とスピーカ１３から発せられた音の放出方向がグリップ面側になるように構成されている。
【００３５】
このように構成されることにより、撮影者が操作する際にレリーズボタン７に指を添えながらデジタルカメラ本体を握った場合、手の平の膨らみがストラップ部材９の略横の位置する。手の平の膨らみがストラップ部材９の横に位置することにより、スピーカ１３から発せられた音は、始めにストラップ部材９の放音穴９ｂを伝い、サイドカバー８の凹部８ｂに反射し増幅されて外部へ伝わる。さらにその音は、手の平に反射することで撮影者側に伝わる。このように、スピーカ１３から発生した音を外部へ効率的に導き、撮影者へ伝えることができる。
【００３６】
また、スピーカ１３からの音が外部へ放出される部分は、グリップ側面中央に配置されているので、グリップした時にその部分を完全に手で覆い隠すことがなく、音を遮りにくくなる。仮に、例えばグリップ側面の下側に音の放出部分が配置されていると、グリップした時に手の平で、その部分を覆い隠し、音を遮ってしまう。また、グリップ側面の上側に音の放出部分を配置した場合では、指や手の平はグリップした時に手の膨らみが側面中央に位置するので、手の平での音の反射が無くなり、音は伝わりにくくなる。
【００３７】
以上のように、本実施の形態では、ストラップ部材９の直下にスピーカ１３を配置することにより、ストラップの紐を通すためのサイドカバー８の穴部８ａの中にスピーカ１３の放音穴９ｂを配備することができる。その結果、スピーカ１３で発生した音は、ストラップの紐を通すための穴部８ａが導音部材として機能して、あたかも拡声器のホーン形状のような役割を果たし、音を外部へ効率的に伝えることが可能である。さらには、ストラップ部材９をカメラのグリップ面の略中央に配置したので、音を効率的に撮影者に伝えることができる。また、外観意匠上もよくなり、例えば、空いたスペースに外部端子の開口を設けることが可能である。
【００３８】
そして、ストラップの紐を通すための穴部８ａを導音部材として使うことで別部品を用いることなく部品点数の削減が可能であり、また、スピーカ１３がストラップを通すための穴部８ａの奥に配置されるので、カメラの小型化が可能である。
【００３９】
このように、本実施の形態では、ＬＣＤのワイド化によりカメラが横方向に伸びたところ（デットスペース）にスピーカ１３を配置した場合でも、効率的な部品構成を採ることができ、カメラの部品点数の削減及び小型化に寄与することができる。
【００４０】
なお、上記実施の形態では、電子機器としてデジタルカメラを例に挙げて説明したが、もちろん、デジタルカメラに限らず、携帯電話等の電子機器でも構わない。
【符号の説明】
【００４１】
８    サイドカバー
８ａ  サイドカバーの穴部
９    ストラップ部材
９ａ  ストラップ環
９ｂ  放音穴
１３  スピーカ
【図１】
2011193105.tif 000003
【図２】
2011193105.tif 000004
【図３】
2011193105.tif 000005
【図４】
2011193105.tif 000006
【図５】
2011193105.tif 000007
【図６】
2011193105.tif 000008